(57)【要約】【課題】  棒状化粧料の使用感を実使用品の実使用に近い使用状況で客観的に評価すること。【解決手段】  棒状化粧料（口紅１）の使用感の評価方法であって、棒状化粧料を相対的に回転する平板２０に押付け、該棒状化粧料の使用感を評価するもの。棒状化粧料と平板２０の間の回転トルクにより塗布抵抗を評価し、押付け変位量により塗布量を評価する。【選択図】  図１
2006126143.tif 000002
【特許請求の範囲】
【請求項１】
棒状化粧料を相対的に回転する平板に押付け、棒状化粧料を評価する棒状化粧料の評価方法。
【請求項２】
前記棒状化粧料と平板の間の回転トルクにより塗布抵抗を評価し、押付け変位量により塗布量を評価する請求項１に記載の棒状化粧料の評価方法。
【請求項３】
前記棒状化粧料と平板の間の押付け力及び回転速度を一定のものとする請求項１又は２に記載の棒状化粧料の評価方法。
【請求項４】
前記棒状化粧料を平板の回転中心からずらした位置に押付ける請求項１〜３のいずれかに記載の棒状化粧料の評価方法。
【請求項５】
回転アームと、回転アームに設けた試料把持手段と、試料把持手段に把持した試料を平板に押付ける押圧手段とを有する粘弾性測定装置であって、
回転アームが回転中心からずれた位置に試料把持手段を備える粘弾性測定装置。
【発明の詳細な説明】
【技術分野】
【０００１】
本発明は棒状化粧料の評価方法に関する。
【背景技術】
【０００２】
棒状化粧料の使用感を客観的に評価する方法として、特許文献１に記載の如く、所定の厚さに輪切りにした棒状化粧料を２枚の平板間に挟み、その軸方向に力を加えて押し潰し、次いで押し潰された状態の該棒状化粧料についてパラレルプレートを用いて所定温度での動的粘弾性の歪み依存性を測定し、棒状化粧料の塗布時に唇又は手が感じる力学的な感触を評価するものがある。
【特許文献１】特開2003-83873
【発明の開示】
【発明が解決しようとする課題】
【０００３】
特許文献１の棒状化粧料の使用感の評価方法は、押し潰された化粧料の動的粘弾性の歪み依存性をパラレルプレートにより測定するものであり、化粧料の評価されるときの物性が実使用品の物性から変質している可能性があるし、評価態様も実使用態様から乖離している。このため、棒状化粧料の使用感を実使用品の実使用に近い使用状況で客観的に評価することに困難があった。
【０００４】
本発明の課題は、棒状化粧料の使用感を実使用品の実使用に近い使用状況で客観的に評価することにある。
【課題を解決するための手段】
【０００５】
本発明は、棒状化粧料を相対的に回転する平板に押付け、棒状化粧料を評価する棒状化粧料の評価方法である。
【０００６】
また、本発明は、回転アームと、回転アームに設けた試料把持手段と、試料把持手段に把持した試料を平板に押付ける押圧手段とを有する粘弾性測定装置であって、回転アームが回転中心からずれた位置に試料把持手段を備えるようにしたものである。
【発明を実施するための最良の形態】
【０００７】
棒状化粧料の典型例である口紅１の使用感を評価する方法と、その評価に有用な粘弾性測定装置１０について説明する。
【０００８】
粘弾性測定装置１０は、電動モータ等の回転アクチュエータ１１により駆動される回転アーム１２と、回転アーム１２に設けたチャック装置等の試料把持手段１３と、試料把持手段１３に把持した口紅１（試料）を平板２０に押付ける空圧シリンダ等の押圧アクチュエータ（押圧手段）１４とを有する。回転アーム１２は、回転軸１２Ａと、該回転軸１２Ａの先端で直角方向に延びるアーム部１２Ｂからなり、該アーム部１２Ｂに試料把持手段１３を備えることにより、回転軸１２Ａから半径方向にずれた位置に試料把持手段１３を備える。
【０００９】
粘弾性測定装置１０は、回転アクチュエータ１１が回転アーム１２に付与する回転速度を制御できる。回転アクチュエータ１１にはトルクメータ１１Ａが接続され、回転アクチュエータ１１が回転アーム１２に付与する回転トルクを検出可能にする。
【００１０】
粘弾性測定装置１０は、押圧アクチュエータ１４が回転アーム１２に付与する押付け力を制御できる。押圧アクチュエータ１４には荷重計１４Ａと変位計１４Ｂが接続され、荷重計１４Ａは押圧アクチュエータ１４が回転アーム１２の回転軸１２Ａの軸方向（押付け方向）に付与する押付け力を検出可能にし、変位計１４Ｂは押圧アクチュエータ１４による回転アーム１２の押付け方向に沿う押付け変位量を検出可能にする。
【００１１】
平板２０は、チタン等の金属板２１の上に、サプラーレ（商品名）等の人工擬似皮脂膜２２を固定的に設けて構成される。
【００１２】
粘弾性測定装置１０を用いた口紅１の使用感の評価手順について説明する。
(1)試料把持手段１３に口紅１の実使用品を把持する。
【００１３】
(2)回転アクチュエータ１１により回転アーム１２を回転するとともに、押圧アクチュエータ１４により回転アーム１２を回転軸１２Ａの軸方向に押しながら動かし、試料把持手段１３に把持した口紅１の先端を平板２０の人工擬似皮脂膜２２に相対回転するとともに該人工擬似皮脂膜２２に押付ける。口紅１は所定の力で人工擬似皮脂膜２２に押付けられて相対移動し、使用者が該口紅１を手で持って唇に塗布する如くに、該人工擬似皮脂膜２２に塗布されるものとなる。
【００１４】
このとき、押圧アクチュエータ１４が回転アーム１２に付与する押付け力（口紅１の人工擬似皮脂膜２２への押付け力）は、使用者による実使用時の押付け力たる例えば0.65〜0.80（Ｎ）の範囲で選択され、例えば0.70（Ｎ）に一定に規定される。
【００１５】
また、回転アクチュエータ１１が回転アーム１２に付与する回転速度（口紅１の人工擬似皮脂膜２２に対する相対回転速度）は、使用者による実使用時の口紅塗布速度たる例えば0.01〜0.10（ｍ／秒）に相当する回転速度の範囲で選択されて一定に規定される。
【００１６】
また、平板２０の人工擬似皮脂膜２２の表面温度は、使用者の唇の表面温度たる例えば34℃に一定に規定される。
【００１７】
(3)回転アクチュエータ１１に接続したトルクメータ１１Ａの検出結果である、口紅１と人工擬似皮脂膜２２の間の回転トルクにより、口紅１の塗布抵抗を評価する。また、押圧アクチュエータ１４に接続した変位計１４Ｂの検出結果である、口紅１と人工擬似皮脂膜２２の間の変位量により、口紅１の塗布量を評価する。
【００１８】
図２は、Ａ品種〜Ｇ品種の口紅１について得た使用感たる塗布抵抗と塗布量を示すものである。Ａ、Ｄ、Ｅについては「軽くて付かない」、Ｇについては「重くて付かない」、Ｂ、Ｃ、Ｆについては「軽くて付く」の如くの評価を得た。Ａ〜Ｇについて得たこれらの評価結果は、使用者の実感に近いものであった。
【００１９】
本実施形態によれば以下の作用効果を奏する。
（請求項１）
(a)口紅１を相対的に回転する平板２０に押付け、口紅１の使用感を評価するものであるから、評価対象化粧料として実使用品を用いることができ、口紅１の評価時点での物性を実使用段階の物性と同質にし、評価態様も使用者の手を用いた実使用態様を単に機械化したものであって実質的に同じにし、口紅１の使用感を実使用品の実使用に近い使用状況で客観的に評価できる。
【００２０】
（請求項２）
(b)口紅１と平板２０の間の回転トルクにより口紅１の塗布抵抗（塗布に必要な力の軽重感）を評価できる。また、口紅１と平板２０の間の押付け変位量により口紅１の唇への塗布量（付着量）の多少を評価できる。
【００２１】
（請求項３）
(c)口紅１と平板２０との間の押付け力及び回転速度を一定のものとすることにより、口紅１の平板２０への押付け力を実使用時の唇への押付け力と概ね同一にし、口紅１の平板２０に対する相対回転速度を実使用時の唇への塗布速度と概ね同一にし、結果として口紅１の実使用状況におけると概ね同一の塗布条件でそれらの塗布抵抗、塗布量の如くの使用感を評価できる。
【００２２】
（請求項４）
(d)口紅１を平板２０の回転中心からずらした位置に押付けることにより、口紅１は平板２０の上の異なる位置に相対移動し、口紅１の使用感を実使用状況に、より近い塗布条件で評価できる。
【００２３】
（請求項５）
(e)従来からある粘弾性測定装置を改造した粘弾性測定装置１０により、上述(a)〜(d)を簡易に実現できる。
【００２４】
尚、本発明の棒状化粧料の使用感の評価方法では、棒状化粧料を平板の回転中心に押付けるものでも良い。
【図面の簡単な説明】
【００２５】
【図１】図１は粘弾性測定装置を示す模式図である。
【図２】図２は口紅の使用感評価マップ図である。
【符号の説明】
【００２６】
１  口紅（棒状化粧料）
１０  粘弾性測定装置
１１  回転アクチュエータ
１２  回転アーム
１３  試料把持手段
１４  押圧アクチュエータ（押圧手段）
２０  平板
【図１】
2006126143.tif 000003
【図２】
2006126143.tif 000004